(57)【要約】【目的】ソーラーパネルや、緑化屋根及び軽微な設備装置や屋根上のメンテナンス通路となる構成部材を嵌合タイプの折板屋根に適宜取付けることができ、汎用性を有し、簡易且つ強固に取付けることができ、安価に提供できる折板屋根用力骨体及びその取付構造とすること。【構成】折板屋根板Ｂの折板屋根板６の幅に略相当する長さで細長い平坦状主板１１と，平坦状主板１１の幅方向の両側に形成された主側部１２とからなる力骨本体部１と、力骨本体部１の両主側部１２間に収められると共に前記折板屋根６同士を連結するためのキャップ材６５の幅方向一端を係止する係止部２４を有する第１挟持部材２と、第１挟持部材２と同様で且つ前記キャップ材６５の幅方向他端を係止する係止部３４を有する第２挟持部材３と、第１挟持部材２と第２挟持部材３とを近接及び離間させる締付具４とからなること。前記第１挟持部材２は、前記力骨本体部１に連結されること。【選択図】      図１
2010285802.tif 000002
【特許請求の範囲】
【請求項１】
折板屋根の折板屋根板の幅に略相当する長さで細長い平坦状主板と，該平坦状主板の幅方向の両側に形成された主側部とからなる力骨本体部と、該力骨本体部の両主側部間に収められると共に前記折板屋根同士を連結するためのキャップ材の幅方向一端を係止する係止部を有する第１挟持部材と、該第１挟持部材と同様で且つ前記キャップ材の幅方向他端を係止する係止部を有する第２挟持部材と、前記第１挟持部材と前記第２挟持部材とを近接及び離間させる締付具とからなり、前記第１挟持部材は、前記力骨本体部に連結されてなることを特徴とする折板屋根用力骨体。
【請求項２】
請求項１において、前記第１挟持部は正面板部の幅方向両側に側面板部が形成され、前記第２挟持部は正面板部の幅方向両側に側面板部が形成され、前記第２挟持部材の正面板部には前記締付具を構成する内螺子部が設けられると共に前記第１挟持部材には前記内螺子部に螺合するボルトが設けられ、前記第２挟持部材は前記第１挟持部材内に収納自在にされると共に前記締付具を介して第１挟持部材と第２挟持部材とは相互に近接及び離間自在としてなることを特徴とする折板屋根用力骨体。
【請求項３】
請求項１又は２において、前記折板屋根用力骨体を分離して、中間にジョイント部材を設け、該ジョイント部材を介して長手方向に伸縮自在としてなることを特徴とする折板屋根用力骨体。
【請求項４】
請求項１，２又は３のいずれか１項の記載において、前記力骨本体部は前記第１挟持部材に対して水平状となるように連結されてなることを特徴とする折板屋根用力骨体。
【請求項５】
請求項１，２又は３のいずれか１項の記載において、前記力骨本体部は前記第１挟持部材に対して傾斜状に連結されてなることを特徴とする折板屋根用力骨体。
【請求項６】
平坦状主板と，該平坦状主板の幅方向の両側に形成された主側部とからなる力骨本体部と、該力骨本体部の両主側部間に収められると共に係止部を有する第１挟持部材と、係止部を有する第２挟持部材と、前記第１挟持部材と前記第２挟持部材とを近接及び離間させる締付具とからなり、前記第１挟持部材は、力骨本体部に連結されてなる折板屋根用力骨体と、折板屋根板と、該折板屋根板同士に嵌合連結するキャップ材とからなる折板屋根とからなり、前記折板屋根用力骨体が前記折板屋根板の長手方向に直交するように配置されつつ、前記キャップ材の幅方向両側が挟持固着されてなることを特徴とする折板屋根の力骨体取付構造。
【請求項７】
請求項６において、前記折板屋根板の幅方向両側に被嵌合部が形成され、前記キャップ材の幅方向両側には嵌合部が形成されてなることを特徴とする折板屋根の力骨体取付構造。
【発明の詳細な説明】
【技術分野】
【０００１】
本発明は、ソーラーパネルや、緑化屋根及び軽微な設備装置や屋根上のメンテナンス通路となる構成部材を適宜取付けることができ、汎用性を有し、簡易且つ強固に取付けることができると共に、安価に提供できる折板屋根用力骨体及び折板屋根の力骨体取付構造に関する。
【背景技術】
【０００２】
従来より、折板屋根上に、太陽光発電パネルや、緑化構造物及び軽微な設備装置や屋根上のメンテナンス通路を設ける場合には、種々の構成を成した部材がその都度設計などされて取付られていた。特に、前記太陽光発電パネルは、各メーカーによって、形状、取付寸法などが異なっている。このため、毎回、そのパネルサイズに合うように、その取付金具の検討が必要であった。また、緑化構造物を折板屋根上に取付けるには、さらにその都度、設計などされて取付られていたことが多かった。引用文献１の構成では、汎用性及び強度性などがなく、構造が複雑で取付性が悪い等の欠点があった。
【先行技術文献】
【特許文献】
【０００３】
【特許文献１】特開２００２−２１２６１
【発明の概要】
【発明が解決しようとする課題】
【０００４】
そこで、本発明は、これらの欠点及び欠陥を解消するとともに、汎用性ある物とすることを目標とした。つまり、本発明が解決しようとする課題（技術的課題又は目的等）は、ソーラーパネルや、緑化屋根となる構成部材が適宜取り付られるように、汎用性を考慮しつつ、簡易且つ強固に取付けることができると共に、安価に提供できることを実現することである。
【課題を解決するための手段】
【０００５】
そこで、発明者は上記課題を解決すべく鋭意，研究を重ねた結果、請求項１の発明を、折板屋根の折板屋根板の幅に略相当する長さで細長い平坦状主板と，該平坦状主板の幅方向の両側に形成された主側部とからなる力骨本体部と、該力骨本体部の両主側部間に収められると共に前記折板屋根同士を連結するためのキャップ材の幅方向一端を係止する係止部を有する第１挟持部材と、該第１挟持部材と同様で且つ前記キャップ材の幅方向他端を係止する係止部を有する第２挟持部材と、前記第１挟持部材と前記第２挟持部材とを近接及び離間させる締付具とからなり、前記第１挟持部材は、前記力骨本体部に連結されてなる折板屋根用力骨体としたことにより、上記課題を解決した。
【０００６】
請求項２の発明を、請求項１において、前記第１挟持部は正面板部の幅方向両側に側面板部が形成され、前記第２挟持部は正面板部の幅方向両側に側面板部が形成され、前記第２挟持部材の正面板部には前記締付具を構成する内螺子部が設けられると共に前記第１挟持部材には前記内螺子部に螺合するボルトが設けられ、前記第２挟持部材は前記第１挟持部材内に収納自在にされると共に前記締付具を介して第１挟持部材と第２挟持部材とは相互に近接及び離間自在としてなる折板屋根用力骨体としたことにより、上記課題を解決した。
【０００７】
請求項３の発明を、請求項１又は２において、前記折板屋根用力骨体を分離して、中間にジョイント部材を設け、該ジョイント部材を介して長手方向に伸縮自在としてなる折板屋根用力骨体としたことにより、上記課題を解決した。請求項４の発明を、請求項１，２又は３のいずれか１項の記載において、前記力骨本体部は前記第１挟持部材に対して水平状となるように連結されてなる折板屋根用力骨体としたことにより、上記課題を解決した。請求項５の発明を、請求項１，２又は３のいずれか１項の記載において、前記力骨本体部は前記第１挟持部材に対して傾斜状に連結されてなる折板屋根用力骨体としたことにより、上記課題を解決した。
【０００８】
請求項６の発明を、平坦状主板と，該平坦状主板の幅方向の両側に形成された主側部とからなる力骨本体部と、該力骨本体部の両主側部間に収められると共に係止部を有する第１挟持部材と、係止部を有する第２挟持部材と、前記第１挟持部材と前記第２挟持部材とを近接及び離間させる締付具とからなり、前記第１挟持部材は、力骨本体部に連結されてなる折板屋根用力骨体と、折板屋根板と、該折板屋根板同士に嵌合連結するキャップ材とからなる折板屋根とからなり、前記折板屋根用力骨体が前記折板屋根板の長手方向に直交するように配置されつつ、前記キャップ材の幅方向両側が挟持固着されてなる折板屋根の力骨体取付構造としたことにより、上記課題を解決した。請求項７の発明を、請求項６において、前記折板屋根板の幅方向両側に被嵌合部が形成され、前記キャップ材の幅方向両側には嵌合部が形成されてなる折板屋根の力骨体取付構造としたことにより、上記課題を解決した。
【発明の効果】
【０００９】
請求項１の発明においては、ソーラーパネルや、緑化屋根となる構成部材を適宜取付けることができ、汎用性を有し、簡易且つ強固に取付けることができ、安価に提供できる折板屋根用力骨体を提供できる。さらに、折板屋根板同士をキャップ材によって嵌合連結する嵌合タイプの折板屋根に対して、前記キャップ材による嵌合連結部への取付が良好にできると共に、前記キャップ材が何らの邪魔になることなく、ソーラーパネルや、緑化屋根を容易に施工することができる。さらに、軽微な設備装置や屋根上のメンテナンス通路を設けることも容易にでき、構成部材の取付性を良好にできる。
【００１０】
請求項２の発明では、第１挟持部材内に第２挟持部材が締付具を介して近接且つ離間し、第１挟持部材内に第２挟持部材が収納自在とされた構成としたことにより、第１挟持部材と第２挟持部材とでキャップ材による嵌合連結部を挟持する構成を極めて簡単にすることができ、しかも第１挟持部材と第２挟持部材とで嵌合連結部を挟持した状態を極めてコンパクトにまとめることができる。
【００１１】
また、第１挟持部材内に第２挟持部材が収納される構成としたことで、第１挟持部材と第２挟持部材とが近接，離間する動作時には、第１挟持部材と第２挟持部材とは相互に安定した状態で相互移動ができ、折板屋根のキャップ材による嵌合連結部に対して良好なバランス状態で挟持固定することができ、ひいては本発明の折板屋根用力骨体を嵌合タイプの折板屋根に対して強固且つ安定した状態で装着される。このように、折板屋根用力骨体は、嵌合連結部への固定を極めて簡単にすることができ、整然とした折板屋根用力骨体による構造物を施工できる。
【００１２】
請求項３の発明では、折板屋根の単位折板屋根板の間隔が適宜異なっても、良好に対応できる。請求項４の発明では、嵌合タイプの折板屋根に対して折板屋根用力骨体の力骨本体部が水平状となるように設置することができる。請求項５の発明では、嵌合タイプの折板屋根を横葺き状態で施工した場合に、水上側から水下側に向かって折板屋根用力骨体の力骨本体部を傾斜状に設置することができ、嵌合タイプの折板屋根が横葺タイプの場合にも、本発明の折板屋根用力骨体によって、緑化屋根等の種々の建築構造物を容易に設置することができる。
【００１３】
請求項６の発明では、折板屋根に折板屋根用力骨体を取り付けることにより、折板屋根を強固な力骨構造として提供することができる。請求項７の発明では、特に、嵌合タイプの折板屋根の嵌合連結部に折板屋根用力骨体を容易に設置することで、作業効率を向上させることができる。
【図面の簡単な説明】
【００１４】
【図１】（Ａ）は本発明の折板屋根用力骨体を折板屋根に設けた要部斜視図、（Ｂ）は（Ａ）の正面略示図である。
【図２】（Ａ）は本発明の折板屋根用力骨体の斜視図、（Ｂ）は（Ａ）のＸａ−Ｘａ矢視断面図、（Ｃ）は（Ａ）のＸｂ−Ｘｂ矢視断面図、（Ｄ）は（Ａ）のＸｃ−Ｘｃ矢視断面図、（Ｅ）は折板屋根用力骨体の縦断側面図、（Ｆ）は折板屋根用力骨体の下面図である。
【図３】（Ａ）は第１挟持部材と第２挟持部材と締付具の構成を示す要部縦断側面図、（Ｂ）は（Ａ）のＹ−Ｙ矢視断面図、（Ｃ）は第１挟持部材と第２挟持部材と締付具とを分離した状態を示す縦断側面図、（Ｄ）は力骨本体部同士を接続した状態の要部縦断側面図、（Ｅ）は（Ｆ）のＸｄ−Ｘｄ矢視断面図である。
【図４】（Ａ）は折板屋根用力骨体を折板屋根の嵌合連結部に取付けんとした要部の状態図、（Ｂ）は折板屋根の嵌合連結部に装着した折板屋根用力骨体に隣接する別の折板屋根用力骨体を連結しようとする要部の状態図である。
【図５】（Ａ）は折板屋根用力骨体を折板屋根に取付けた後に、別の屋根板を取付けた状態の正面略示図、（Ｂ）は折板屋根用力骨体を折板屋根に取付けた後に太陽光発電パネルなどの屋根載置用部材を取付けた状態の正面略示図、（Ｃ）は折板屋根用力骨体に適宜のピッチで適宜の取付ボルトを取付けた状態の正面略示図である。
【図６】（Ａ）は折板屋根板を横葺屋根として施工した折板屋根に折板屋根用力骨体を装着した略示図、（Ｂ）は（Ａ）の要部の縦断側面図、（Ｃ）は折板屋根用力骨体の第１挟持部材と第２挟持部材の要部拡大断面図、（Ｄ）は第１挟持部材と第２挟持部材と締付具とを分離した状態を示す縦断側面図である。
【図７】（Ａ）は第２タイプの嵌合連結部に対応する折板屋根用力骨体の一部断面にした側面図、（Ｂ）は折板屋根用力骨体を第２タイプの嵌合連結部に装着した状態の要部拡大断面図、（Ｃ）は折板屋根用力骨体を第２タイプの嵌合連結部に取付けんとした要部の状態図、（Ｄ）は第１挟持部材と第２挟持部材と締付具とを分離した状態を示す縦断側面図、（Ｅ）は第２タイプの嵌合連結部の分解図である。
【図８】（Ａ）は第３タイプの嵌合連結部に対応する折板屋根用力骨体の側面図、（Ｂ）は第１挟持部材と第２挟持部材と締付具とを分離した状態を示す縦断側面図、（Ｃ）は第１挟持部材と第２挟持部材とを締付具を解して離間した状態の要部縦断側面図、（Ｄ）は第３タイプの嵌合連結部の分解図である。
【図９】（Ａ）は本発明の伸縮自在とした折板屋根用力骨体の側面図、（Ｂ）は（Ａ）の要部要部斜視図、（Ｃ）は伸縮構造の要部断面図である。
【発明を実施するための形態】
【００１５】
以下、本発明の実施形態について図面に基づいて説明する。折板屋根用力骨体Ａは、主に、図２（Ａ），（Ｅ），（Ｆ）に示すように、力骨本体部１と第１挟持部材２と第２挟持部材３とから構成される。前記力骨本体部１は、図２（Ａ），（Ｅ）に示すように、主に、細長い平坦状主板１１と主側部１２とから構成されている。前記平坦状主板１１は、折板屋根Ｂの折板屋根板６としての幅に略相当する長さに形成されている（図１参照）。前記平坦状主板１１の幅方向の両側には、図２（Ａ）乃至（Ｅ）に示すように、垂下して主側部１２，１２が形成されている。前記平坦状主板１１は、折板屋根Ｂの折板屋根板６の幅に略相当する長さに形成されている（図１参照）。第１挟持部材２と第２挟持部材３とは、後述するように、前記力骨本体部１の長手方向の一端側に装着される〔図２（Ｅ），（Ｆ）参照〕。また、前記力骨本体部１の他端側における両主側部１２，１２には、接続用貫通孔１３，１３が形成されている。該接続用貫通孔１３については、後述する。
【００１６】
前記第１挟持部材２と前記第２挟持部材３とは、図３（Ａ）乃至（Ｃ）に示すように、それぞれ左右に位置し、１組で後述する嵌合連結部Ｊを挟持する役目をなすものである（図４参照）。第１挟持部材２は、正面板部２１の幅方向両側より背面側に側面板部２２，２２が形成されたものである〔図２（Ｂ），図３（Ｂ），（Ｅ）参照〕。前記正面板部２１の上端に頂面板部２３が形成されている。前記正面板部２１は、略長方形状に形成されたものであり、前記側面板部２２は、前記正面板部２１に対して直角（略直角も含む）に折曲形成されたものである〔図３（Ｂ）参照〕。
【００１７】
前記正面板部２１及び両側面板部２２，２２の下端箇所には係止部２４が形成されている〔図２（Ａ），（Ｅ），図３（Ａ），（Ｃ），（Ｄ），図４等参照〕。該係止部２４は、前記正面板部２１の下端が略直角に折曲形成されることによって形成され、さらに前記側面板部２２では、その上下方向の中央箇所より下方側部分は、下方に向かって突起板状に形成され、その縁の形状は、略逆「く」字形状となるように形成されている〔図３（Ｃ）参照〕。このように前記係止部２４は、正面板部２１の下端部分と両側面板部２２，２２の下方部分によって強固に形成された部位である〔図３（Ｃ）参照〕。また、第１挟持部材２の両側面板部２２，２２には接続用貫通孔２６，２６が穿孔されている〔図３（Ｃ）参照〕。第１挟持部材２に形成された接続用貫通孔２６は、水平方向に沿って長孔状に形成されている。
【００１８】
第２挟持部材３は、前記第１挟持部材２と略左右対称となる略同等形状に形成された部材である〔図３（Ｃ）参照〕。第２挟持部材３は、前記第１挟持部材２で使用された各部位の名称は、そのまま使用され、各部位の相対的は構成についても第１挟持部材２の場合と同様であるので、詳細については第１挟持部材２を参照されたい。正面板部３１の幅方向両側より背面側に側面板部３２，３２が形成され、前記正面板部３１の上端に頂面板部３３が形成されている。前記正面板部３１は、略長方形状に形成されたものであり、前記側面板部３２は、前記正面板部３１に対して直角（略直角も含む）に折曲形成されたものである。前記正面板部３１及び両側面板部３２，３２の下端箇所には係止部３４が形成されている。該係止部３４の構成は、前述した第１挟持部材２の係止部２４の構成と左右対称で略同一である〔図３（Ｃ）参照〕。第２挟持部材３の両側面板部３２，３２には接続用貫通孔３６，３６が穿孔されている〔図３（Ｃ）参照〕。第２挟持部材３に形成された接続用貫通孔３６は、円形であり、前記第１挟持部材２の接続用貫通孔２６と共に後述する接続用具７の接続ボルト７１が貫通する。また、接続用貫通孔３６は、楕円又は長円形等の長孔に形成されることもある。
【００１９】
また、力骨本体部１の長手方向の他端側には接続用片１７が備わっている。該接続用片１７は、断面略門形状であり、力骨本体部１の断面形状と略同等であるがひとまわり小形形状である。すなわち、力骨本体部１の平坦状主板１１及び両主側部１２，１２に内接するようにして、溶接等の固着手段によって固着されている。接続用片１７は、前記力骨本体部１の長手方向の端部より外方に突出した構造となっている。そして、前記接続用片１７が別の折板屋根用力骨体Ａの力骨本体部１に挿入され、接続用貫通孔１３と接続用貫通孔２６とが位置合わせされて、第１挟持部材２，第２挟持部材３及び力骨本体部１とを連結している接続用具７の接続ボルト７１と接続ナット７２によって連結される〔図３（Ｄ），（Ｅ）参照〕。
【００２０】
第１挟持部材２と第２挟持部材３とは、締付具４のボルト４１と内螺子部４２によって近接又は離間することができるようになっている〔図４（Ａ）参照〕。具体的には、前記第１挟持部材２には正面板部２１に貫通孔２１ａが形成されている。また第２挟持部材３には、正面板部３１に内螺子部４２が形成されている。該内螺子部４２として、図３，図４に示すように、ナットが前記正面板部３１に溶接等の固着手段にて固着されている。また、前記内螺子部４２としてナットが使用されるときには、前記ボルト４１が貫通するための貫通孔３１ａが前記正面板部３１に穿孔されている〔図３（Ｃ），図４（Ｂ）参照〕。さらに、特に図示しないが、内螺子部４２として、ナットを使用しないで、前記第２挟持部材３の正面板部３１に貫通孔３１ａが形成されると共に、該貫通孔３１ａがバーリング加工され、この部分に内螺子部４２が形成されたものでもかまわない。また、前記内螺子部（ナット）４２は、第１挟持部材２の正面板部２１側に装着され、第２挟持部材３の正面板部３１には、ボルト４１が装着されることもある（図６参照）。
【００２１】
第２挟持部材３は、第１挟持部材２の内部に収納自在となるように構成されている〔図３（Ｂ）参照〕。具体的には、第２挟持部材３の幅方向寸法は、第１挟持部材２の幅方向寸法よりも小さく形成されている〔図２（Ｂ），図３（Ｂ），（Ｅ）参照〕。すなわち、第１挟持部材２の両側面板部２２，２２間に第２挟持部材３の両側面板部３２，３２が入る構成となり、このような状態で、前記締付具４を介して第１挟持部材２と第２挟持部材３とが近接及び離間させることができる〔図４（Ａ），（Ｂ）参照〕。そして、第１挟持部材２と第２挟持部材３とが近接することで、係止部２４と係止部３４とが近接し、第１挟持部材２と第２挟持部材３とが離間するときには、係止部２４と係止部３４とが離間する。
【００２２】
ここで、前記力骨本体部１は、前記第１挟持部材２に対して水平状に固着されている〔図２（Ｅ），図３（Ａ），（Ｄ）参照〕。すなわち、第１挟持部材２と第２挟持部材３の垂直方向と、前記力骨本体部１の水平方向とが直角となる構造としたものである。この場合には、図１（Ｂ）に示すように、折板屋根Ｂを構成する折板屋根板６，６同士の複数の嵌合連結部Ｊが全て同一高さとなる構成において、使用されるものである。
【００２３】
また、前記力骨本体部１は、前記第１挟持部材２に対して傾斜状に固着される形態も存在する。すなわち、第１挟持部材２と第２挟持部材３の垂直方向と、前記力骨本体部１の長手方向とが直角ではなく〔図６（Ｂ）参照〕、傾斜した構造としたものである。第１挟持部材２の両側面板部２２，２２と第２挟持部材３の両側面板部３２，３２にはそれぞれの上辺に傾斜縁が形成され、第１挟持部材２及び第２挟持部材３が共に力骨本体部１と干渉することを防止する構成としている。そして、対応する折板屋根Ｂを構成する折板屋根板６，６，…は、略横葺き状態で施工され、該折板屋根板６，６と、キャップ材６５とによって構成される複数の嵌合連結部Ｊ，Ｊ，…の高さ位置は異なり、複数の嵌合連結部Ｊ，Ｊ，…に直交する方向が傾斜状となる。このような折板屋根Ｂに対して、前述した力骨本体部１の長手方向が傾斜した構造の折板屋根用力骨体Ａが使用されるものである〔図６（Ａ）参照〕。
【００２４】
折板屋根用力骨体Ａは、図１に示すように、複数が長手方向において、一列となるように接続されて使用される。その接続構造は、図４（Ａ）に示すように、折板屋根用力骨体Ａの力骨本体部１の平坦状主板１１と両主側部１２，１２と、第１挟持部材２の頂面板部２３及び両側面板部２２，２２との間に生じる隙間部ｓ〔図２（Ｂ）参照〕に、次に接続しようとする別の折板屋根用力骨体Ａの接続用片１７を挿入する。前記隙間部ｓに挿入された接続用片１７は、既設の折板屋根用力骨体Ａの力骨本体部１と第１挟持部材２とによって挟持状態となる〔図３（Ｅ）参照〕。そして、この挟持状態において、前記接続用片１７に形成された接続用貫通孔１３，１３と、第１挟持部材２の接続用貫通孔２６，２６及び第２挟持部材３の接続用貫通孔３６，３６との位置が一致されて、接続ボルト７１及び接続ナット７２とからなる接続用具７によって隣接する折板屋根用力骨体Ａ，Ａが接続される〔図４（Ｂ）参照〕。
【００２５】
折板屋根Ｂを構成する折板建築用板６は、図１，図４，図５に示すように、主板６１の幅方向両側より立上り側部６２，６２が形成されている。両立上り側部６２，６２の上端には、図４に示すように、略平坦状とした上片部６３，６３が形成され、両上片部６３，６３の外端から被嵌合部６４，６４が形成されている〔図４（Ａ）参照〕。このような折板屋根板６ ，６ ，…を複数並設し、隣接する折板屋根板６ ，６同士の前記被嵌合部６
４，６４にキャップ材６５を嵌合し、嵌合タイプの折板屋根Ｂを施工する。前記主板６１と、立上り側部６２，６２は、断面略有底Ｖ字状の谷形状を構成する（図１参照）。
【００２６】
キャップ材６５は、冠状部６５ａの幅方向両側に嵌合脚状部６５ｂ，６５ｂが形成され、該嵌合脚状部６５ｂ，６５ｂには嵌合屈曲部６５ｃ，６５ｃが形成されている〔図４（Ａ）参照〕。前記折板屋根板６を幅方向に複数並設し、隣接する折板屋根板６，６の被嵌合部６４，６４にキャップ材６５が被せられ、嵌合屈曲部６５ｃ，６５ｃが前記被嵌合部６４，６４に嵌合固着されて、嵌合連結部Ｊが形成される〔図４（Ａ）参照〕。
【００２７】
次に、前記折板屋根用力骨体Ａを折板屋根Ｂなる折板屋根板６の嵌合連結部Ｊへの取付施工について説明する。複数の折板屋根板６，６，…の隣接する被嵌合部６４，６４間にキャップ材６５が嵌合されて嵌合連結部Ｊが構成される。嵌合連結部Ｊ，Ｊ間に本発明の折板屋根用力骨体Ａを配置する。そして、締付具４のボルト４１，内螺子部（ナット）４２を緩めて第１挟持部材２と第２挟持部材３との間隔を開き〔図４（Ａ）参照〕、そのままの状態で嵌合連結部Ｊにおけるキャップ材６５を挟持するようにして被せ、再度、締付具４のボルト４１，内螺子部（ナット）４２を締付けて第１挟持部材２と第２挟持部材３とによって嵌合連結部Ｊを挟持固着する〔図４（Ｂ）参照〕。
【００２８】
次に、隣接する嵌合連結部Ｊに接続しようとする別の折板屋根用力骨体Ａの第１挟持部材２の力骨本体部１の長手方向端部から突出する接続用片１７を嵌合連結部Ｊに固定済みの折板屋根用力骨体Ａの力骨本体部１と第１挟持部材２と間の隙間部ｓに挿入しつつ、第１挟持部材２と第２挟持部材３とで、前記嵌合連結部Ｊを挟持し、締付具４のボルト４１，内螺子部（ナット）４２にて締め付けて挟持固着する。このようにして、力骨本体部１の長手方向端部が前位の折板屋根用力骨体Ａの第１挟持部材２に連結され、複数の折板屋根用力骨体Ａ，Ａ，…が複数の嵌合連結部Ｊ，Ｊ，…を介して折板屋根Ｂに取付施工される。
【００２９】
上記のようにして装着された折板屋根用力骨体Ａは、特に、嵌合連結部Ｊに第１挟持部材２と第２挟持部材３と締付具４とで固定しており、部材の力骨本体部１も強固にでき、折板屋根Ｂ上の力骨体としての役割をなす。そして、図５（Ａ）に示すように、その力骨体なる連続した力骨本体部１，１，…上に、適宜な屋根材８，ガッターなどの取付部材８ａが葺成できたり、或いは、図５（Ｂ）に示すように、太陽光発電パネルや、緑化屋根部材などの屋根載置用部材９が取りつけられることがある。特に、折板屋根用力骨体Ａの力骨本体部１の上面の平坦状主板１１は平坦面状に形成されているため、取付条件の制限を受けない利点がある。さらに、図５（Ｃ）に示すように、適宜の取付ボルトＮを取付けるにも、前記力骨本体部１の平坦状主板１１のみのため、簡単に所望のピッチにでき、取付応用性の拡大ができる利点がある。また、特に図示しないが、前記折板屋根用力骨体Ａの力骨本体部１には軽微な設備装置や屋根上のメンテナンス通路等を設置することもある。このようにして、折板屋根用力骨体Ａが折板屋根Ｂの嵌合連結部Ｊを介して取付施工される。特に、嵌合連結部Ｊに第１挟持部材２と第２挟持部材３と締付具４とで固定しており、部材の力骨本体部１も強固にでき、折板屋根Ｂ上の力骨体としての役割をなす。
【００３０】
図７及び図８は、嵌合連結部Ｊを瓦棒タイプとした折板屋根Ｂに折板屋根用力骨体Ａを装着するものであり、第１挟持部材２及び第２挟持部材３は、瓦棒タイプの嵌合連結部Ｊのキャップ材６５が挟持される。図７では、瓦棒の嵌合連結部Ｊにおける第１タイプのキャップ材６５が示されており〔図７（Ｅ）参照〕、該キャップ材６５の冠状部６５ａは、略半円形状又は弧状アーチ形状に形成されている。このキャップ材６５に対応する第１挟持部材２及び第２挟持部材３の係止部２４，３４の周辺の縁の形状は、冠状部６５ａに対応するように弧状に形成されている〔図７（Ｃ），（Ｄ）参照〕。図８では、瓦棒の嵌合連結部Ｊにおける第２タイプのキャップ材６５が示されており〔図８（Ｄ）参照〕、該キャップ材６５の冠状部６５ａは、略凹形状に形成されている。このキャップ材６５に対応する第１挟持部材２及び第２挟持部材３の係止部２４，３４の周辺の縁の形状は、冠状部６５ａに対応するように台形状に形成されている〔図８（Ｂ），（Ｃ）参照〕。図７及び図８において、符号６６は、補強材であり、該補強材６６は、吊子１０２と共に使用される〔図７（Ｂ），（Ｃ），（Ｅ）及び図８（Ａ），（Ｄ）参照〕。
【００３１】
図９に示したものは、折板屋根用力骨体を適宜伸縮可能な構成としたものである。具体的には、力骨本体部１の長手方向を２つに分離し、その中間にジョイント部材１４を設けたものである。該ジョイント部材１４の断面は、前記力骨本体部１の断面と同等で、肉厚分だけ異なり、図９（Ａ）及び（Ｂ）に示すように、適宜摺動自在になるように構成されている。該ジョイント部材１４に所定間隔をおいて少なくとも３つのネジ孔１４ａが穿孔され、分離重合用力骨体１５，１５にも、前記ネジ孔１４ａのピッチに対応する貫孔１５ａが穿孔されて、ビスなどの止具１６にて伸縮できる。これによって、折板屋根用力骨体Ａの長手方向が折板屋根Ｂの適宜の間隔に対応できる。前記折板屋根板６は、下地材としての構造材１００上に設けた屋根受具１０１と吊子１０２を介して取付けられている。
【符号の説明】
【００３２】
１…力骨本体部、１１…平坦状主板、１２…主側部、１４…ジョイント部材、
２…第１挟持部材、２４，３４…係止部、３…第２挟持部材、２１，３１…正面板部、
２２，３２…側面板部、４…締付具、４２…内螺子部（ナット）、６…折板屋根板、
６５…キャップ材、Ｊ…嵌合連結部。
【図１】
2010285802.tif 000003
【図２】
2010285802.tif 000004
【図３】
2010285802.tif 000005
【図４】
2010285802.tif 000006
【図５】
2010285802.tif 000007
【図６】
2010285802.tif 000008
【図７】
2010285802.tif 000009
【図８】
2010285802.tif 000010
【図９】
2010285802.tif 000011